(57)【要約】【課題】本発明は、十分な輝度で指針を自発光させると共に、見栄え、視認性の良い指針装置を提供する。【解決手段】指針２４が、内機２６から文字板２１の背面、文字板２１の外側面及び文字板２１の正面の順に沿って設けられている。文字板２１の正面に沿って設けられた指針２４の先端部２４１が、文字板２１とリング部２３との間に設けられている。【選択図】図３
2008020387.tif 000002
【特許請求の範囲】
【請求項１】
指標が形成された文字板と、該文字板の正面側に配置されて前記文字板の外周を囲む導光部材で構成されたリング部と、前記文字板の背面側に配置された基板上に搭載されて前記リング部に入射する光を発生するリング用光源と、前記文字板に形成された指標を指示する導光部材で構成された指針と、前記文字板の背面側側に設けられた、前記指針を回転駆動する、内機とを有する指針装置において、
前記指針が、前記リング部の背面に設けられ前記リング部からの光を受光する受光部を有する
ことを特徴とする指針装置。
【請求項２】
前記内機の回転軸に固定された前記指針が、前記文字板の背面、前記文字板の外側面及び前記文字板の正面の順に沿って設けられ、
前記文字板の正面に沿って設けられた前記指針の先端部が、前記文字板と前記リング部との間に設けられていることを特徴とする請求項１記載の指針装置。
【請求項３】
前記リング部の背面には、外周に近づくに従って背面側に近づく第１傾斜面が設けられ、そして、前記指針の先端部の正面が前記第１傾斜面の外周側の端部よりも正面側に配置されるように、前記指針が設けられていることを特徴とする請求項２記載の指針装置。
【請求項４】
前記指針の先端部の正面には、前記外周に近づくに従って背面側に近づく第２傾斜面が設けられていることを特徴とする請求項３記載の指針装置。
【請求項５】
前記指針の先端部が、前記リング部に覆われている部分の幅が前記リング部から露出している部分の幅よりも広くなるように、設けられていることを特徴とする請求項２〜４何れか１項記載の指針装置。
【請求項６】
前記文字板の中央部には開口が設けられ、前記文字板の開口の背面側には表示器が配置されていることを特徴とする請求項１〜５何れか１項記載の指針装置。
【発明の詳細な説明】
【技術分野】
【０００１】
本発明は、指針装置に係り、例えば、回転指針用の文字板の中央部にＬＣＤなどの表示器を配置した指針装置に関するものである。
【背景技術】
【０００２】
上述した指針装置として、例えば、通常の回転指針用の文字板の正面側に液晶ディスプレイ（ＬＣＤ）などの表示器を配置するものが考えられている。なお、指針装置の視認される面を正面としている。このような配置にすれば、指針によって表示器の視認が邪魔されることなく、文字板の中央部に表示器を配置することができる。
【０００３】
しかしながら、文字板が例えば車速などの重要な情報を表示し、表示器が現在時刻などの比較的重要でない情報を表示するような場合など、文字板を表示器の正面側に配置して、文字板の視認性をより高めたいという要望があった。
【０００４】
そこで、このような要望に応えるため、図１０に示すようなものが提案されている（特許文献１）。図１０（Ａ）は、従来の指針装置の一例を示す正面図であり、図１０（Ｂ）は図１０（Ａ）に示す指針装置の部分断面図である。
【０００５】
同図に示すように、指針装置は、例えば車速を示す指標が形成された文字板１００と、この文字板１００の背面に設けたＬＣＤ１１０とを有している。文字板１００の中央部には開口１００Ａが設けられ、その開口１００Ａから背面に設けられたＬＣＤ１１０が露出している。さらに、指針装置は、文字板１００に設けられた指標を指示する指針１２０と、電子部品を搭載した基板１３０と、該基板１３０に搭載されて指針１２０を回転駆動する内機１４０とを有している。
【０００６】
なお、指針１２０は、内機１４０からＬＣＤ１１０の背面、ＬＣＤ１１０の外側面、ＬＣＤ１１０と文字板１００との間、文字板１００の内側面及び文字板１００の正面の順に沿って設けられている。つまり、指針１２０は、文字板１００とＬＣＤ１１０との間で折りかえされる略Ｓ字状の形状となっている。以上の構成によれば、文字板１００の背面にＬＣＤ１１０を配置しても、指針１２０によってＬＣＤ１１０の視認が邪魔されることがない。
【特許文献１】特開２００５−１８１３０１号公報
【発明の開示】
【発明が解決しようとする課題】
【０００７】
ところで、上述した指針１２０を自発光させたいという要望があった。そこで、例えば、上記基板１３０に内機１４０の回転軸を囲むように複数のＬＥＤなどの光源を設けて、さらに指針１２０を導光部材から構成することが考えられる。以上の構成によれば、指針１２０が、内機１４０側から受光した光源からの光を指針１２０の先端部に導いて自発光する。
【０００８】
しかしながら、上述したように指針１２０は略Ｓ字状の形状になっているため、指針１２０の内機１４０側から受光した光を先端部まで導くことが難しく、十分な輝度を得ることができず、見栄え、視認性が悪いという問題があった。
【０００９】
また、一般的な指針１２０においても、自発光させる場合に自発光用光源の輝度が低いと、指針１２０の輝度を上げることができず、十分な輝度を得ることができず、見栄え、視認性が悪いという問題があった。
【００１０】
本発明はかかる問題を解決することを目的としている。即ち、本発明は、十分な輝度で指針を自発光させると共に、見栄え、視認性の良い指針装置を提供することを課題とする。
【課題を解決するための手段】
【００１１】
上記課題を解決するためになされた請求項１記載の発明は、指標が形成された文字板と、該文字板の正面側に配置されて前記文字板の外周を囲む導光部材で構成されたリング部と、前記文字板の背面側に配置された基板上に搭載されて前記リング部に入射する光を発生するリング用光源と、前記文字板に形成された指標を指示する導光部材で構成された指針と、前記文字板の背面側側に設けられた、前記指針を回転駆動する、内機とを有する指針装置において、前記指針が、前記リング部の背面に設けられ前記リング部からの光を受光する受光部を有することを特徴とする指針装置に存する。
【００１２】
請求項１記載の発明によれば、指針が、リング部の背面に設けられリング部からの光を受光する受光部を有するので、リング部内を導光しているリング用光源からの光を受光部によって受光することができ、指針の輝度を向上させることができる。
【００１３】
請求項２記載の発明は、前記内機の回転軸に固定された前記指針が、前記文字板の背面、前記文字板の外側面及び前記文字板の正面の順に沿って設けられ、前記文字板の正面に沿って設けられた前記指針の先端部が、前記文字板と前記リング部との間に設けられていることを特徴とする請求項１記載の指針装置に存する。
【００１４】
請求項２記載の発明によれば、指針の先端部が、文字板とリング部との間に設けられているため、リング部内を導光しているリング用光源からの光が指針の先端部に受光されて、指針の先端部の輝度を向上させることができる。
【００１５】
請求項３記載の発明は、前記リング部の背面には、外周に近づくに従って背面側に近づく第１傾斜面が設けられ、そして、前記指針の先端部の正面が前記第１傾斜面の外周側の端部よりも正面側に配置されるように、前記指針が設けられていることを特徴とする請求項２記載の指針装置に存する。
【００１６】
請求項３記載の発明によれば、リング部の背面には、外周に近づくに従って背面側に近づく第１傾斜面が設けられ、そして、指針の先端部の正面が第１傾斜面の外周側の端部よりも正面側に配置されるように、指針が設けられている。従って、リング部から指針の先端部側に向かう光を指針の先端部に入射することができる。
【００１７】
請求項４記載の発明は、前記指針の先端部の正面には、前記外周に近づくに従って背面側に近づく第２傾斜面が設けられていることを特徴とする請求項３記載の指針装置に存する。
【００１８】
請求項４記載の発明によれば、指針の先端部の正面には外周に近づくに従って背面側に近づく第２傾斜面が設けられているため、リング部の第１傾斜面から第２傾斜面に入射した光を効率的に先端側に導くことができる。
【００１９】
請求項５記載の発明は、前記指針の先端部が、前記リング部に覆われている部分の幅が前記リング部から露出している部分の幅よりも広くなるように、設けられていることを特徴とする請求項２〜４何れか１項記載の指針装置に存する。
【００２０】
請求項５記載の発明によれば、指針の先端部が、リング部に覆われている部分の幅がリング部から露出している部分の幅よりも広くなるように、設けられているため、リング部から指針の先端部に入射される光量の向上を図ることができる。
【００２１】
請求項６記載の発明は、前記文字板の中央部には開口が設けられ、前記文字板の開口の背面側には表示器が配置されていることを特徴とする請求項１〜５何れか１項記載の指針装置に存する。
【００２２】
請求項６記載の発明によれば、文字板の中央に設けた開口の背面に表示器を配置する構成において指針の先端部の輝度を向上させることができる。
【発明の効果】
【００２３】
以上説明したように請求項１記載の発明によれば、リング部内を導光しているリング用光源からの光を受光部によって受光することができ、指針の輝度を向上させることができるので、指針用の光源の輝度が低くても十分な輝度で指針を自発光させると共に、見栄え、視認性が良くなる。
【００２４】
請求項２記載の発明によれば、リング部内を導光しているリング用光源からの光が指針の先端部に受光されて、指針の先端部の輝度を向上させることができるので、指針用の光源の輝度が低くても十分な輝度で指針を自発光させると共に、見栄え、視認性が良くなる。
【００２５】
請求項３記載の発明によれば、リング部から指針の先端部側に向かう光を指針の先端部に入射することができるので、指針の発光輝度の向上を図ることができる。
【００２６】
請求項４記載の発明によれば、リング部の第１傾斜面から第２傾斜面に入射した光を効率的に先端側に導くことができるので、指針の発光輝度の向上を図ることができる。
【００２７】
請求項５記載の発明によれば、リング部から指針の先端部に入射される光量の向上を図ることができるので、指針の発光輝度の向上を図ることができる。
【００２８】
請求項６記載の発明によれば、文字板の中央に設けた開口の背面に表示器を配置する構成において指針の先端部の輝度を向上させることができるので、十分な輝度で指針を自発光させると共に、見栄え、視認性が良くなる。
【発明を実施するための最良の形態】
【００２９】
第１実施形態
以下、本発明の一実施の形態を図面に基づいて説明する。図１は、本発明の指針装置を組み込んだコンビネーションメータの正面図である。図２は、図１に示すコンビネーションメータを構成する速度計の概念斜示図である。この図２では、速度計の一部を切り欠いて描いている。さらに、速度計を構成する部材が正面から透けて見えるように描いている。図３は、図２に示す速度計の断面図である。図４は、図２に示す速度計を構成するホルダ部、ケーシングの概略正面図である。図５は、図３に示す速度計を構成するリング部の部分断面図である。図６（Ａ）は、図３に示す速度計を構成する指針の部分断面図であり、図６（Ｂ）は同図（Ａ）に示す指針の部分斜示図である。
【００３０】
このコンビネーションメータ１は、例えば車両のインストルメントパネルに取り付けられる。コンビネーションメータ１には、車両の速度を指示する速度計２（＝指針装置）と、車両のエンジン回転数を指示する回転計３（＝指針装置）と、燃料残量を指示する燃料計４、水温を指示する水温計５と、ウォーニング６とが設けられている。
【００３１】
これら速度計２、回転計３、燃料計４、水温計５及びウォーニング６は、ケーシング７内に収容されている。ケーシング７の正面には見返し８が取り付けられている。見返し８は、上記速度計２、回転計３、燃料計４、水温計５及びウォーニング６に対向する部分に開口が設けられ、ケーシング７内に収容された配線基板や内機などを隠す。また、ケーシング７の正面側には表ガラス９が取り付けられている。
【００３２】
上述した速度計２は、車速を示す数字（＝指標）が形成された文字板２１と、この文字板２１の背面に設けた表示器としての液晶ディスプレイ（ＬＣＤ）２２と、この文字板２１の正面側に配置されて文字板２１の外周を囲む導光部材から構成されたリング部２３と、文字板２１に形成された指標を指示する導光部材で構成された指針２４とを有している。
【００３３】
次に、図２〜図４を参照して速度計２の更に詳細な構成について説明する。なお、回転計３については、速度計２とほぼ同様の構成であるためここでは説明を省略する。速度計２は、上記文字板２１及びＬＣＤ２２の背面に配置されて、ＣＰＵなどの電子部品２５や、指針２４を回転駆動するモータなどの内機２６などを搭載する配線基板２７（＝基板）を有している。配線基板２７には、文字板２１を光輝させるための文字板用光源Ｌ１と、指針２４を光輝させるための指針用光源Ｌ２と、リング部２３を光輝させるためのリング用光源Ｌ３とが搭載されている。
【００３４】
上述した文字板２１は、拡散板２１１の正面に設けられている。文字板２１は、光透過板で構成され、この光透過板の正面に遮光印刷が施されている。遮光印刷は、上述した車速を示す数字を除いた部分に施されている。以上の構成によれば、文字板用光源Ｌ１が発光すると、文字板用光源Ｌ１からの光が、文字板２１の背面から入射される。
【００３５】
そして、背面から入射された光は、拡散板２１１によって拡散されて文字板２１全体に導光される。文字板２１全体に導光された光は、遮光印刷層２１２が施されていない車速を示す数字部分を透過して正面に出射される。これにより、文字板用光源Ｌ１が発光すると、文字板２１の車速を示す数字部分が光輝して視認される。
【００３６】
文字板２１は、正面視円形に設けられ、その中央に円形の開口２１３（図２参照）が設けられている。そして、文字板２１は、その開口２１３から背面に設けられたＬＣＤ２２が露出している。このＬＣＤ２２の背面には、ＬＣＤ照明用基板２８が配置されている。このＬＣＤ照明用基板２８には、複数のＬＣＤ用光源Ｌ４が搭載されている。上述したＬＣＤ２２及びＬＣＤ照明用基板２８は受け皿状のホルダ部２９内に収容・保持されている。このホルダ部２９の正面側には、図３に示すように、文字板２１が取り付けられている。
【００３７】
また、図３及び図４に示すように、ケーシング７は、リング部２３の外周の一部に沿って立設された立壁３０を有している。ケーシング７には、リング部２３に設けた位置決めタブ（図示せず）が嵌め込まれる位置決め凹部３０１（図４）が設けられている。
【００３８】
位置決め凹部３０１の中央には、上記位置決めタブに設けた位置決め穴（図示せず）と嵌合する位置決め凸部７１が設けられている。ケーシング７に設けた位置決め凸部７１にリング部２３に設けた位置決め孔を嵌合させた状態で、ケーシング７の立壁３０上にリング部２３を搭載させると、リング部２３の位置決めを行うことができる。
【００３９】
上記ケーシング７とホルダ部２９との間にはアーム状のホルダ保持部３１が設けられている。ホルダ保持部３１は、立壁３０に近づくに従ってその幅が大きくなるように形成されている。ケーシング７、ホルダ部２９及びホルダ保持部３１は一体に形成されている。これにより、ホルダ部２９がケーシング７に支持される。なお、ホルダ保持部３１は、指針２４が回動しない範囲に設けられている。図３に示すように、リング部２３の背面がケーシング７の立壁３０により支持されている。
【００４０】
また、ＬＣＤ２２、ＬＣＤ照明用基板２８にはそれぞれ、フレキシブルプリント配線板（ＦＣＰ）３３及び接続コネクタＣを介して配線基板２７に接続されており、配線基板２７から給電を受けている。
【００４１】
上述したリング部２３は、正面視ドーナツ状に形成されている。リング部２３の正面側には、車速を示す凹状の目盛部２３１が形成されている。リング部２３の正面側には、上記目盛部２３１を除いた部分に遮光印刷が施されている。このリング部２３の外周の一部には、その背面からリング用光源Ｌ３に向かって突出したリング受光部２３２が形成されている。リング受光部２３２は、リング用光源Ｌ３に近づくに従って幅が狭くなるように形成されている。
【００４２】
以上の構成により、リング用光源Ｌ３が発光すると、リング用光源Ｌ３からの光がリング部２３のリング受光部２３２に入射される。リング受光部２３２内に入射された光は、リング部２３全体に導光される。リング部２３全体に導光された光は、遮光印刷が施されていない目盛部２３１を通って正面に出射される。これにより、リング用光源Ｌ３が発光すると、リング部２３の目盛部２３１が光輝して視認される。
【００４３】
なお、本実施形態では、リング部２３と文字板２１との発光色を異なる色にしている。そこで、リング受光部２３２は、図４に示すように、ケーシング７に設けたリング導光用穴３５内に挿入されている。これにより、ケーシング７が遮光壁として働き、リング受光部２３２には、リング用光源Ｌ３からの光のみが入射され、文字板用光源Ｌ１からの光が入射されることがない。従って、リング用光源Ｌ３と文字板用光源Ｌ１との発光色が混ざった状態でリング部２３が光輝するのを防ぐことができる。
【００４４】
また、リング受光部２３２には、拡散孔２３３が設けられている。その拡散孔２３３の内周には拡散ピース２３４が取り付けられている。拡散ピース２３４はリング用光源Ｌ３と対向する位置に取り付けられている。拡散ピース２３４は、例えば表面に凹凸を付けるなどの表面加工を施すことにより拡散ピース２３４に入射された光を散乱（拡散）するものである。このようにリング受光部２３２に拡散孔２３３を設け、さらにその拡散孔２３３の内周に拡散ピース２３４を設けることにより、リング用光源Ｌ３からの光が拡散して、リング部２３全体が均一に光輝するようになっている。
【００４５】
上述した指針２４は、導光部材から構成されている。内機２６の回転軸Ｚに固定された指針２４は、文字板２１の背面、文字板２１の外側面、文字板２１の正面の順に沿って設けられている。そして、文字板２１の正面に沿って設けられた先端部２４１が、文字板２１とリング部２３との間に設けられている。また、指針２４の先端部２４１の内機２６にむかう側は、リング部２３に覆われている。指針２４の先端部２４１の先端側は、リング部２３から露出している。即ち、リング部２３に覆われた指針２４の先端部２４１の内機２６にむかう側が請求項中の受光部に相当する。
【００４６】
より詳しく説明すると、指針２４は、文字板２１の背面に沿って設けられた第１指針部２４２と、文字板２１の外側面に沿って設けられた第２指針部２４３と、文字板２１の正面に沿って設けられた上記先端部２４１とを有している。
【００４７】
なお、本実施形態では、指針２４と、文字板２１との発光色を異なる色にしている。そこで、上記指針用光源Ｌ２は遮光壁３２により囲まれている。この遮光壁３２により、指針受光部２４４には、指針用光源Ｌ２からの光のみが入射され、文字板用光源Ｌ１からの光が入射されることがない。従って、指針用光源Ｌ２と文字板用光源Ｌ１との発光色が混ざった状態で指針２４が光輝するのを防ぐことができる。
【００４８】
上述した指針２４は、指針用光源Ｌ２に向かって突出する指針受光部２４４が設けられている。指針２４には、指針受光部２４４から入射した光を第１指針部２４２に沿った方向に反射する第１反射面２４５と、第１反射面２４５から反射された光を第２指針部２４３に沿った方向に反射する第２反射面２４６と、第２反射面２４６から反射された光を先端部２４１に沿った方向に反射する第３反射面２４７とを備えている。
【００４９】
以上の構成により、指針用光源Ｌ２からの主光Ｌ５は指針受光部２４４から指針２４内に入射されると、第１反射面２４５で反射され第１指針部２４２に沿って進む。その後、第２反射面２４６で反射され第２指針部２４３に沿って進み、第３反射面２４７で反射されて先端部２４１に沿って進む。これにより、指針２４の先端部２４１が光輝する。
【００５０】
また、指針２４には、内機２６の回転軸Ｚを挟んだ第１指針部２４２とは反対側にはウエイトＢが嵌め込まれたウエイト部２４８が設けられている。このウエイト部２４８によって指針２４が第１指針部２４２側に傾くのを防止している。
【００５１】
また、指針２４の先端部２４１が文字板２１とリング部２３との間に設けられているため、図６に示すように、リング部２３内を導光しているリング用光源Ｌ３からの光が副光Ｌ６として指針２４の先端部２４１に入射されて、指針２４の先端部２４１の輝度を向上させることができる。即ち、指針２４への光は、図６に示すように、指針用光源Ｌ２からの主光Ｌ５に加え、リング部２３からの副光Ｌ６を有するため、指針用光源Ｌ２の輝度が低くても指針２４の輝度（光量）を大幅に向上させることができる。
【００５２】
また、図６に示すように、リング部２３の背面には外周に近づくに従って背面側に近づく第１傾斜面２３５が設けられている。そして、指針２４の先端部２４１の正面が第１傾斜面２３５の外周側の端部Ｔ１よりも正面側に配置されるように指針２４が設けられている。これにより、指針２４の先端側に向かう方向成分を持った副光Ｌ６をより多く入射することができる。即ち、副光Ｌ６を指針２４の先端側に導くことができ、指針２４の発光輝度向上を図ることができる。
【００５３】
また、上記第１傾斜面２３５の外周側には、立壁３０の内周に設けられた突起と当接する位置決め段差が設けられている。この位置決め段差に速度計ケース部３０に設けた突起が当接するようにして、速度計ケース部３０の突起上にリング部２３を搭載することにより、速度計ケース部３０におけるリング部２３の位置決めを容易に行うことができる。
【００５４】
また、指針２４の先端部２４１の正面には外周側に近づくに従って背面側に近づく第２傾斜面２４９が設けられている。この第２傾斜面２４９は、リング部２３の第１傾斜面２３５から出射した副光Ｌ６を入射して指針２４の先端側に向かうようにな傾斜に設けられている。このため、リング部２３の第１傾斜面２３５から指針２４の第２傾斜面２４９に入射した副光Ｌ６を効率的に先端側に導くことができ、指針２４の発光輝度の向上を図ることができる。
【００５５】
さらに、指針２４の先端部２４１が、リング部２３に覆われている部分の幅Ｗ１がリング部２３から露出している部分の幅Ｗ２よりも広くなるように設けられている。この構成によっても、リング部２３から指針２４の先端部２４１に入射される光量の増加を図ることができ、指針２４の発光輝度の向上を図ることができる。
【００５６】
また、上述した速度計２によれば、文字板２１の中央に設けた開口２１３の背面にＬＣＤ２２を配置する構成において指針２４の先端部２１４の輝度を向上させることができる。
【００５７】
なお、上述した第１実施形態では、リング部２３に目盛部２３１を設けていたが、本発明はこれに限ったものではない。リング部２３としては、文字板２１の外周を囲う導光部材から構成されたものであればよく、例えば目盛部２３１などの意匠がなにも設けられていなくてもよい。また、リング部２３の形状は円環状に設けられていたが、本発明はこれに限ったものではない。例えば、円弧状であってもよい。即ち、リング部２３は、文字板２１の外周の少なくとも一部を囲っていればよい。
【００５８】
また、上述した第１実施形態では、リング部２３の背面には第１傾斜面２３５が設けられていたが、本発明はこれに限ったものではない。例えば、リング部２３の背面が平面上であってもよい。
【００５９】
また、上述した第１実施形態では、指針２４の正面にも第２傾斜面２４９を設けていたが、本発明はこれに限ったものではない。例えば、指針２４の第２傾斜面２４９を設けなくてもよい。
【００６０】
また、上述した第１実施形態では、指針用光源Ｌ２から光によっても指針２４を光輝させていたが、本発明はこれに限ったものではない。例えば、リング部２３から指針２４に入射させる光のみによって指針２４を光輝させることも考えられる。
【００６１】
また、上述した第１実施形態では、指針２４が、文字板２１の背面、文字板２１の外側面及び文字板２１の正面の順に沿って設けられていたが、本発明はこれに限ったものではない。指針２４が、リング部２３の背面に設けられリング部２３からの光を受光する受光部を有していれば、どんな形状であっても良い
【００６２】
第２実施形態
次に、本発明の第２実施形態について図７〜図１０を参照して以下説明する。図７は、第２実施形態における速度計の断面図である。なお、図７については、図３について上述した第１実施形態で説明した速度計２と同一の部分には同一符号を付してその詳細な説明は省略する。図８は、図７に示す速度計の分解斜視図であり、図９は、図７に示す速度計の組み付け工程を説明するための説明図である。
【００６３】
上述した第１実施形態では、図３に示すように、配線基板２７に文字板用光源Ｌ１と指針用光源Ｌ２とリング用光源Ｌ３とを設けていた。図７に示すように、第２実施形態では、配線基板２７には指針用光源Ｌ２のみを設け、ＬＣＤ照明用基板２８に文字板用光源Ｌ１とリング用光源Ｌ３とを配置している。
【００６４】
これによれば、例えば指針２４、文字板２１及びリング部２３の発光色とを変えたいとき、第１実施形態のように指針用光源Ｌ２と文字板用光源Ｌ１、リング部用光源Ｌ３とを同一の配線基板２７上に設けるためには互いの色が交わらないように指針用光源Ｌ２を覆う遮光壁３２を設ける必要があった。しかしながら、第２実施形態のように文字板用光源Ｌ１とリング用光源Ｌ３もＬＣＤ照明用基板２８上に設ければ、配線基板２７上には指針用光源Ｌ２のみ設ければよく、遮光壁３２を設ける必要がなくなる。
【００６５】
この場合、図３と図７とを比較しても明らかなように、ＬＣＤ照明用基板２８の面積が大きくなる。このため、指針２４を回転軸Ｚに打ち込み難くなる。そこで、第１実施形態では、ホルダ部２９、ケーシング７及びホルダ保持部３１を一体に形成していたが、第２実施形態では、ケーシング７及びホルダ保持部３１を一体に形成して、ホルダ部２９については別体に形成している。
【００６６】
第１実施形態ではホルダ部２９は略受け皿状に形成されていたが、第２実施形態ではホルダ部２９は、図７に示すように、底面が設けられていない略枠状に設けられている。そして、このホルダ部２９の内周に、ＬＣＤ照明用基板２８、ＬＣＤ２２及び文字板２１とがこの順で積層されて収容されている。また、第１実施形態ではホルダ保持部３１はアーム状に形成されていたが、第２実施形態では図８に示すように略平板状に形成されて、その一端が立壁３０の内周に一体に取り付けられている。
【００６７】
上述したホルダ保持部３１は、図８に示すように、内機２６の回転軸Ｚに対向する部分から外周方向の端部に亘って切欠部３１１が設けられている。従って、この切欠部３１１から簡単に指針２４を回転軸Ｚに打ち込むことができる。
【００６８】
なお、本発明はこれに限ったものではなく、切欠部３１１を形成しなくてもよい。しかしながら、この場合、指針２４の打ち込みを可能とするために、ホルダ保持部３１の端部とケーシング７との距離Ｌ７を十分に離しておく必要がある。このため、ケーシング３０が大きくなり、計器間（例えば速度計２と回転計３間）が広く成らざるを得ず、意匠上の制約となる。従って、切欠部３１１を設ける方のが最適である。
【００６９】
また、第２実施形態では、ホルダ部２９によって、文字板２１、ＬＣＤ２２、ＬＣＤ照明用基板２８をまとめて収容したユニットの取付を簡単にするためにホルダ部２９とホルダ保持部３１とに下記の構造を持たせている。図８及び図９に示すように、ホルダ保持部３１の端部側には、ホルダ部２９を係合する係合爪３１２と、ホルダ部２９に設けた位置決めボス２９１が挿入される位置決め孔３１３と、凸部３１４とが設けられている。凸部３１４は、端部に近づくに従って高さが高くなるような傾斜が付けられている。
【００７０】
一方、ホルダ部２９の背面には、上述した位置決め孔３１３に挿入される位置決めボス２９１と、凸部３１４が挿入される切欠孔２９２とが設けられている。以上の構成によれば、図９に示すように、ホルダ部２９の端部を斜め下方向Ｙ１から係止爪３１２の下に挿入する。このとき、凸部３１４と位置決めボス２９１とが当接して、ホルダ部２９の端部が係止爪３１２から外れないようになっている。
【００７１】
その後、ホルダ部２９が水平になるように動かすと、図９（Ｂ）に示すように、位置決めボス２９１が位置決め孔３１３に挿入し、凸部３１４が切欠孔２９２に挿入して、ホルダ部２９の端部が係合爪３１２と係合して、ホルダ部２９がホルダ保持部３１に取り付けられる。以上の構成により、斜め方向Ｙ１の挿入に対して装着を容易にすることができた。
【００７２】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７３】
【図１】本発明の指針装置を組み込んだコンビネーションメータの正面図である。
【図２】図１に示すコンビネーションメータを構成する速度計の斜示図である。
【図３】図２に示す速度計の断面図である。
【図４】図２に示す速度計を構成するホルダ部、速度計ケース部の概略正面図である。
【図５】図３に示す速度計を構成するリング部の部分斜示図である。
【図６】（Ａ）は図３に示す速度計を構成する指針の部分断面図であり、（Ｂ）は（Ａ）に示す指針の部分斜示図である。
【図７】第２実施形態における速度計の断面図である。
【図８】図７に示す速度計の分解斜示図である。
【図９】図６に示す速度計の組み付け工程を説明するための説明図である。
【図１０】（Ａ）は従来の指針装置の一例を示す正面図であり、（Ｂ）は（Ａ）に示す指針装置の部分断面図である。
【符号の説明】
【００７４】
２      速度計（指針装置）
３      回転計（指針装置）
２１    文字板
２１３  開口
２２    ＬＣＤ（表示器）
２３    リング部
２４    指針
２４１  先端部
２６    内機
２７    配線基板（＝基板）
Ｌ３    リング用光源
【図１】
2008020387.tif 000003
【図２】
2008020387.tif 000004
【図３】
2008020387.tif 000005
【図４】
2008020387.tif 000006
【図５】
2008020387.tif 000007
【図６】
2008020387.tif 000008
【図７】
2008020387.tif 000009
【図８】
2008020387.tif 000010
【図９】
2008020387.tif 000011
【図１０】
2008020387.tif 000012